(57)【要約】【課題】電子機器筺体に形成されたピン挿通孔を通して操作可能な電子機器を簡易且つ好適に防水可能な電子機器の防水構造の提供。【解決手段】電子機器筺体１の壁面と交差する方向に押し込み操作される被操作体３と、トレイ用開口部と別個に電子機器筺体１に貫通したピン挿通孔４とを備え、ピン挿通孔４を通して電子機器の外部より被操作体３を押し込操作するようにしている電子機器であって、ピン挿通孔４内に移動可能且つ抜け出し不能に収容される操作ピン５を備え、操作ピン５の外周部に弾性材からなる環状の止水部材６が嵌合され、ピン挿通孔４内面と操作ピン５の外周面との隙間がピン用止水部材６で封止されている。【選択図】図２
2016189103.tif 000002
【特許請求の範囲】
【請求項１】
電子機器筺体の内部に設置されたハウジングと、前記電子機器筺体の外部からトレイ用開口部を通して前記ハウジングに挿入されるカードトレイと、前記ハウジングの側部に移動可能に保持された被操作体と、該被操作体の押し込み動作に連動して前記カードトレイを押し出すイジェクト機構とを備えているカードコネクタを有する電子機器の防水構造において、
前記カードトレイには、前記トレイ用開口部に嵌り込む前面蓋部と、該前面蓋部の外周部に弾性材からなる環状の蓋用止水部材とを備え、
前記電子機器筺体には、前記トレイ用開口部と別個に貫通したピン挿通孔と、該ピン挿通孔内に移動可能且つ抜け出し不能に収容された操作ピンとを備え、該操作ピンで前記被操作体が操作されるようにするとともに、該操作ピンの外周部に弾性材からなる環状のピン用止水部材が嵌合され、前記ピン挿通孔内面と前記操作ピンの外周面との隙間が前記ピン用止水部材で封止されていることを特徴とする電子機器の防水構造。
【請求項２】
前記被操作体には、外向きに突出し、前記操作ピンの先端に押される被押圧部を一体に備えている請求項１に記載の電子機器の防水構造。
【請求項３】
前記ピン挿通孔の外側開口内縁部にフランジ状の抜止め部を備え、前記操作ピンが前記電子機器筺体の内側より前記ピン挿通孔に挿入され、前記操作ピンの一端が前記抜け止め凸部で抜け止めされ、他端が前記被操作体で抜け止めされるようにしている請求項１又は２に記載の電子機器の防水構造。
【請求項４】
前記操作ピンと前記被操作体とが一体に形成されている請求項１又は２に記載の電子機器の防水構造。
【請求項５】
前記イジェクト機構は、前記被操作体の押し込み動作に連動して回動する回動レバーを備え、該回動レバーは、その一端を前記被操作体で押し込むことにより回動し、他端で前記カードトレイを排出方向に押し出すようにした請求項１〜４の何れか１に記載の電子機器の防水構造。
【発明の詳細な説明】
【技術分野】
【０００１】
本発明は、携帯電話機やスマートフォン、その他の電子機器であって、特には、電子機器筺体に開口したピン挿通孔を通して内部の被操作体を操作することによりカードトレイを取出す構造を有する電気機器の防水構造に関する。
【背景技術】
【０００２】
従来、携帯電話機やスマートフォン等の電子機器の外部記憶媒体には、ＩＣカードやフラッシュメモリーカード等のカードが使用されており、このカードと電子機器に搭載されたプリント配線基板とをカードコネクタを介して電気的に接続させている。
【０００３】
カードコネクタには、電子機器内に配置されるハウジングと、電子機器の筐体外側面部に開口したトレイ用開口部を通してハウジングに挿入されるカードトレイと、ハウジング内に配設された複数のコンタクトとを備えたものが知られ、トレイ用開口部を通してカードトレイをハウジングに挿入することにより、カードトレイの前端部に配置された前面蓋部がトレイ用開口部内に嵌り込むようになっている。
【０００４】
また、このようなトレイ式カードコネクタでは、カードトレイの前面蓋部がトレイ用開口部に嵌り込むと、カードトレイを容易に取り出せないことから、電子機器筐体外側からの操作によりカードトレイをハウジング及び電子機器より取出せるようにしたトレイ取出し機構を備えている。
【０００５】
電子機器筐体外部より操作可能なトレイ取出し機構としては、例えば、ハウジングの側部に押し込み可能に配置された被操作体と、被操作体の押し込み動作に連動して回動する回動レバーとを備えるとともに、筐体の外側面部に被操作体と整合させた配置に開口したピン挿通孔を設け、このピン挿通孔を通して筐体外部よりピン部材をハウジングに挿入して被操作体を押し込み、被操作体で回動レバーの一端を押して当該回動レバーを回動させ、その回動レバーの他端側でカードトレイの奥側縁を排出方向に押し出すようにしたピンイジェクト方式のもの等が知られている（例えば、特許文献１を参照）。
【先行技術文献】
【特許文献】
【０００６】
【特許文献１】特開２０１３−５１１３４号公報
【発明の概要】
【発明が解決しようとする課題】
【０００７】
しかしながら、携帯電話機やスマートフォン等の電子機器では、その使用態様の多様化に伴い、電子機器全体を防水仕様とすることが求められるところ、上述の如く電子機器筐体にピン挿通孔を設けると、構造上ピン挿通孔が電子機器筐体の内外で貫通しているため当該ピン挿通孔から電子機器内部へ水が侵入するおそれがあった。
【０００８】
その為、このようなピン挿通孔を通してスイッチ類や上述のイジェクト機構用の被操作体を操作する構造を有する電子機器では、ピン挿通孔の周囲にゴム製のキャップ等をはめ込むことにより防水に対応することが考えられるが、その場合、見栄えが悪い上、使用する毎にキャップを着脱しなければならず使い勝手が悪いという問題があった。
【０００９】
そこで本発明は、このような従来の問題に鑑み、電子機器筺体に形成されたピン挿通孔を通して内蔵されたカードコネクタのイジェクト機構を操作可能な電子機器であって、その電子機器を簡易且つ好適に防水可能な電子機器の防水構造の提供を目的としてなされたものである。
【課題を解決するための手段】
【００１０】
上述の如き従来の問題を解決し、所期の目的を達成するための請求項1に記載の発明の特徴は、電子機器筺体の内部に設置されたハウジングと、前記電子機器筺体の外部からトレイ用開口部を通して前記ハウジングに挿入されるカードトレイと、前記ハウジングの側部に移動可能に保持された被操作体と、該被操作体の押し込み動作に連動して前記カードトレイを押し出すイジェクト機構とを備えているカードコネクタを有する電子機器の防水構造において、前記カードトレイには、前記トレイ用開口部に嵌り込む前面蓋部と、該前面蓋部の外周部に弾性材からなる環状の蓋用止水部材とを備え、前記電子機器筺体には、前記トレイ用開口部と別個に貫通したピン挿通孔と、該ピン挿通孔内に移動可能且つ抜け出し不能に収容された操作ピンとを備え、該操作ピンで前記被操作体が操作されるようにするとともに、該操作ピンの外周部に弾性材からなる環状のピン用止水部材が嵌合され、前記ピン挿通孔内面と前記操作ピンの外周面との隙間が前記ピン用止水部材で封止されている電子機器の防水構造にある。
【００１１】
請求項２に記載の発明の特徴は、請求項１の構成に加え、前記被操作体には、外向きに突出し、前記操作ピンの先端に押される被押圧部を一体に備えていることにある。
【００１２】
請求項３に記載の発明の特徴は、請求項１又は２の構成に加え、前記ピン挿通孔の外側開口内縁部にフランジ状の抜止め部を備え、前記操作ピンが前記電子機器筺体の内側より前記ピン挿通孔に挿入され、前記操作ピンの一端が前記抜け止め凸部で抜け止めされ、他端が前記被操作体で抜け止めされるようにしていることにある。
【００１３】
請求項４に記載の発明の特徴は、請求項１又は２の構成に加え、前記操作ピンと前記被操作体とが一体に形成されていることにある。
【００１４】
請求項５に記載の発明の特徴は、請求項１〜４の何れか１の構成に加え、前記イジェクト機構は、前記被操作体の押し込み動作に連動して回動する回動レバーを備え、該回動レバーは、その一端を前記被操作体で押し込むことにより回動し、他端で前記カードトレイを排出方向に押し出すようにしたことにある。
【発明の効果】
【００１５】
本発明に係る電子機器の防水構造は、上述したように、電子機器筺体の内部に設置されたハウジングと、前記電子機器筺体の外部からトレイ用開口部を通して前記ハウジングに挿入されるカードトレイと、前記ハウジングの側部に移動可能に保持された被操作体と、該被操作体の押し込み動作に連動して前記カードトレイを押し出すイジェクト機構とを備えているカードコネクタを有する電子機器の防水構造において、前記カードトレイには、前記トレイ用開口部に嵌り込む前面蓋部と、該前面蓋部の外周部に弾性材からなる環状の蓋用止水部材とを備え、前記電子機器筺体には、前記トレイ用開口部と別個に貫通したピン挿通孔と、該ピン挿通孔内に移動可能且つ抜け出し不能に収容された操作ピンとを備え、該操作ピンで前記被操作体が操作されるようにするとともに、該操作ピンの外周部に弾性材からなる環状のピン用止水部材が嵌合され、前記ピン挿通孔内面と前記操作ピンの外周面との隙間が前記ピン用止水部材で封止されていることによって、ピン挿通孔を通して操作を行う電子機器を好適に防水仕様にできる。また、カードトレイにピン挿通孔を設ける必要が無いので、その分、前面蓋部を小型化できる。
【００１６】
また、本発明において、前記被操作体には、外向きに突出し、前記操作ピンの先端に押される被押圧部を一体に備えていることによって、前面蓋部に合わせてハウジングを小型化した場合でも、電子機器筺体にトレイ用開口部と別個に形成されたピン挿通孔を通して被操作体を操作することができる。
【００１７】
更に、本発明において、前記ピン挿通孔の外側開口内縁部にフランジ状の抜止め部を備え、前記操作ピンが前記電子機器筺体の内側より前記ピン挿通孔に挿入され、前記操作ピンの一端が前記抜け止め凸部で抜け止めされ、他端が前記被操作体で抜け止めされるようにしていることによって、簡易な構造でピン挿通孔を止水できる。また、操作ピンを除去すれば非防水仕様に切り替えることができる。
【００１８】
更にまた、本発明において、前記操作ピンと前記被操作体とが一体に形成されていることにより、操作ピンと被操作体とを常に連動させることができる。
【００１９】
また、本発明において、前記イジェクト機構は、前記被操作体の押し込み動作に連動して回動する回動レバーを備え、該回動レバーは、その一端を前記被操作体で押し込むことにより回動し、他端で前記カードトレイを排出方向に押し出すようにしたことによって、カードトレイと操作ピンとが独立しているので、操作ピンの押し込みストロークがカードトレイによって妨げられず、好適にカードトレイの取出し作業を行うことができる。
【図面の簡単な説明】
【００２０】
【図１】本発明に係る電子機器の防水構造の一例を示す斜視図である。
【図２】同上の横断面図であって、（ａ）は防水状態を示す図、（ｂ）動作状態を示す図である。
【図３】図２(ａ)のピン挿通孔部分を示す拡大断面図である。
【図４】図１中のハウジングのシールドを取り外した状態を示す斜視図である。
【図５】同上のカードトレイを示す斜視図である。
【発明を実施するための形態】
【００２１】
次に、本発明に係る電子機器の防水構造の実施態様を図１〜図５に示した実施例に基づいて説明する。
【００２２】
尚、図中符号Ａは電子機器、符号１は電子機器筺体、符号Ｂは電子機器筺体１内に設置された実装基板、符号２はカードコネクタである。また、本実施例においては、カードトレイ挿抜方向の手前側、即ち、図２中の下側を前として説明する。
【００２３】
この電子機器Ａは、電子機器筺体１に内蔵された実装基板Ｂに実装されたハウジング２２に対し、カードトレイ２１が電子機器筺体１に開口したトレイ用開口部１１を通して挿入されるカードコネクタ２を備えたものであり、カードコネクタ２は、カードＣが収容されるカードトレイ２１と、カードトレイ２１が挿入されるトレイ挿入部２２１を有するハウジング２２と、トレイ挿入部２２１の内底面より突出したコンタクト２３，２３...と、ハウジング２２の側部に移動可能に保持された被操作体３と、被操作体３の押し込み動作に連動して前記カードトレイを押し出すイジェクト機構とを備えている。
【００２４】
また、電子機器筺体１には、トレイ用開口部１１と所望の間隔をおいて被操作体３に整合させた配置、例えば、後述する被押圧部３１とカード挿抜方向で連続する配置に電子機器筺体１に貫通したピン挿通孔４と、ピン挿通孔４内に移動可能且つ抜け出し不能に収容される操作ピン５とを備え、電子機器Ａは、操作ピン５を介して筺体外部より被操作体３を操作することにより、カードコネクタ２のイジェクト機構が動作し、カードトレイ２１の取り出せるようになっている。
【００２５】
ピン挿通孔４は、トレイ用開口部１１と所望の間隔を置いて別個に形成され、電子機器筺体１の壁厚方向に貫通した丸孔状を成している。
【００２６】
このピン挿通孔４には、その外側開口内縁部にフランジ状の抜け止め凸部４１を一体に備え、操作ピン５が電子機器筺体１の内側よりピン挿通孔４に挿入可能、且つ、電子機器筺体１の外側へ抜け出し不能になっている。
【００２７】
そして、操作ピン５をピン挿通孔４内に挿入した状態で、ハウジング２２が実装された実装基板Ｂを電子機器筺体１内に設置することで、操作ピン５の一端が抜け止め凸部４１で抜け止めされ、他端が被操作体３に当接して抜け止めされるようにしている。
【００２８】
操作ピン５は、丸棒状に形成され、その前端部にピン挿通孔４に移動可能に嵌り込むピストン状のスライド密封部５１を備え、スライド密封部５１の外周部に周方向に向けた止水部材固定用の溝部５２が形成され、この溝部５２にゴム等の弾性材からなる環状のピン用止水部材６が嵌合されている。
【００２９】
ピン用止水部材６は、その周方向断面が止水部材固定用の溝部５２の深さよりも大きく形成され、スライド密封部５１の外周面より全周に亘って外向きに突出した状態に溝部５２に嵌合され、ピン挿通孔４の内側面とスライド密封部５１外周面との間に挟持され、ピン挿通孔４内側面と操作ピン５外周面との隙間を封止するようになっている。
【００３０】
イジェクト機構は、図２及び図４に示すように、ハウジング２２の側部にカードトレイ２１の挿抜方向で移動可能に被操作体３が保持され、ハウジング２２の被操作体３側の後方に回動可能に配置された回動レバー２４が備えられている。
【００３１】
そして、この回動レバー２４は、被操作体３を押し込み方向に動作させることにより、回動レバー２４の一端２４ａが被操作体３の先端に押されることで回動し、それに伴い、回動レバー２４の他端２４ｂがカードトレイ２１の後縁を抜き出し方向に押し出すようになっている。
【００３２】
被操作体３は、細長棒状に形成され、前端部に外向きに折り曲げた形状の被押圧部３１を一体に備え、平面視逆Ｌ字状を成している。
【００３３】
被押圧部３１は、先端側が後述するカードトレイ２１の前面蓋部２１２の外縁より外側まで突出し、ピン挿通孔４に整合する位置に配置されるようになっており、トレイ用開口部１１と間隔を置いて別個に形成されたピン挿通孔４内に収容された操作ピン５による被操作体３の押し込み動作を可能にしている。
【００３４】
カードトレイ２１は、図５に示すように、カードＣが収容されるトレイ本体２１１と、トレイ本体２１１の前端部にフランジ状に固定された前面蓋部２１２とを備えている。
【００３５】
トレイ本体２１１は、絶縁性合成樹脂材により平板状に形成され、片面側よりカードＣが嵌り込む板厚方向に貫通した矩形孔状のカード収容部２１３を備えている。
【００３６】
前面蓋部２１２は、トレイ用開口部１１に嵌り込む蓋本体２１４と、蓋本体２１４の後面に一体に突設された連結部２１５とを備え、連結部２１５をトレイ本体２１１の前端部と連結することによりカードトレイ２１の前端部にフランジ状に固定され、トレイ本体２１１と前面蓋部２１２とが一体化されている。また、この前面蓋部２１２には、蓋本体２１４の外周部にゴム等の弾性材からなる環状の蓋用止水部材７が備えられている。
【００３７】
蓋本体２１４は、トレイ用開口部１１の形状に整合させて形成され、正面視角丸長方形状であってトレイ挿抜方向に一定の厚みを有する角丸直方体状を成し、その外周部に周方向に向けた止水部材固定用の溝部２１６が形成され、この溝部２１６に蓋用止水部材７が嵌合されている。
【００３８】
蓋用止水部材７は、その周方向断面が溝部２１６の深さよりも大きく形成され、蓋本体２１４の外周面より全周に亘って外向きに突出した状態に溝部２１６に嵌合され、蓋本体２１４がトレイ用開口部１１に嵌り込んだ際には、この蓋用止水部材７がトレイ用開口部１１内側面と蓋本体２１４外周面との間に挟持され、トレイ用開口部１１内側面と蓋本体２１４外周面との隙間を封止するようになっている。
【００３９】
このように構成された電子機器Ａの防水構造では、ピン挿通孔４内に移動可能且つ抜け出し不能に収容される操作ピン５を備え、操作ピン５の外周部に弾性材からなる環状のピン用止水部材６が嵌合され、ピン挿通孔４内面と操作ピン５の外周面との隙間が止水部材６で封止されているので、ピン挿通孔４が独立して防水され、ピン挿通孔４の周囲にキャップ等を被せる必要がないので、電子機器Ａを見栄え良く防水でき、面倒なキャップの着脱を必要としないので使い勝手も向上する。
【００４０】
また、この電子機器Ａの防水構造では、被操作体３に操作ピン５の先端が当接される被押圧部３１を一体に備えることによって、ピン挿通孔４をトレイ用開口部１１と間隔をおいて別個に形成したにも関わらず操作ピン５で被操作体３を操作できる。
【００４１】
また、ピン挿通孔４の外側開口内縁部にフランジ状の抜け止め凸部４１を備え、操作ピン５が電子機器筺体１の内側よりピン挿通孔４に挿入され、操作ピン５の一端が抜け止め凸部４１で抜け止めされ、他端が被操作体３で抜け止めされるようにしていることで、簡易な構造でピン挿通孔４内に止水された状態に操作ピン５を保持でき、設計の自由度が高く、多様なバリエーションに対応できる。また、容易に操作ピン５を除去でき、操作ピン５を除去すれば非防水仕様に切り替えることもできる。
【００４２】
更には、イジェクト機構に被操作体３の押し込み動作に連動して回動する回動レバー２４を使用する場合には、操作ピン５の押し込み量がカードトレイ２１の抜け出し量に影響するので、トレイ開口部１１とピン挿通孔４とを別個に形成したことで、操作ピン５の押し込み動作がカードトレイ２１によって阻害されず、操作ピン５の移動ストロークを生かして、好適に回動レバー２４を回動させることができる。
【００４３】
尚、上述の実施例では、回動レバー２４を使用したイジェクト機構を備えたカードコネクタ２の場合について説明したが、イジェクト機構の態様はこれに限定されず、被操作体の押し込み動作に連動して動作するものであればよい。
【００４４】
また、上述の実施例では、被操作体３と操作ピン５とを別体で構成した例について説明したが、被操作体３と操作ピン５とを一体に形成してもよい。
【符号の説明】
【００４５】
Ａ  電子機器
Ｂ  実装基板
Ｃ  カード
１  電子機器筺体
１１  トレイ用開口部
２  カードコネクタ
２１  カードトレイ
２１１  トレイ本体
２１２  前面蓋部
２１３  カード収容部
２１４  蓋本体
２１５  連結部
２１６  溝部
２２  ハウジング
２３  コンタクト
２４  回動レバー
３  被操作体
３１  被押圧部
４  ピン挿通孔
４１  抜け止め凸部
５  操作ピン
５１  スライド密封部
５２  溝部
６  ピン用止水部材
７  蓋用止水部材
【図１】
2016189103.tif 000003
【図２】
2016189103.tif 000004
【図３】
2016189103.tif 000005
【図４】
2016189103.tif 000006
【図５】
2016189103.tif 000007